(57)【要約】【課題】複数の入力端子を有する画像表示装置において、入力端子への接続を容易に行い、入力切り換え時にはどの入力信号に切り替わったかの状況が容易に判断できるようにし、さらに入力切り換えにおける操作性の向上を図ることを目的とする。【解決手段】入力信号の情報表示に従来の入力信号の名称表示に加えて入力端子部のグラフィックを表示させるOSD回路部を設け、さらにこのOSD表示を用いて入力切り換えを行うことを可能にした。【選択図】図５
2007212618.tif 000002
【特許請求の範囲】
【請求項１】
複数の入力端子からなる入力端子部と、
入力する信号の切り換えを指示する操作部と、
前記入力端子部を介して送られてくる入力信号の中から、前記操作部で指示された信号を選択する入力セレクタと、
前記入力セレクタで選択した信号を処理する信号処理部と、
前記信号処理部で信号処理された信号の映像を表示する映像表示部と、
前記映像表示部の画面に前記入力セレクタで選択された入力信号の情報を表示させるＯＳＤ回路部と、
前記操作部からの入力信号の切り換え指示を受けて、前記入力セレクタでの入力切り換えを制御する一方、前記ＯＳＤ回路部を動作させる制御回路部とを備え、
前記ＯＳＤ回路部は、前記入力端子部と同じ配置構成ですべての入力端子のグラフィック画像を前記映像表示部の画面に表示させることを特徴とする画像表示装置。
【請求項２】
前記信号処理部は、前記入力セレクタからの信号を判別する信号判別回路と信号処理回路を備え、
前記制御回路部は、前記信号判別回路での信号判別の結果を受けて、前記入力セレクタで選択された信号が前記入力端子部に接続されているか否かを判断し、接続されていない場合は、前記入力セレクタで選択された信号名称の表示とともに、前記入力端子部のグラフィック画像を表示させ、現在選択されている信号の入力端子をハイライト表示などで示すことを特徴とする請求項１記載の画像表示装置。
【請求項３】
前記操作部は、操作キーおよびリモコンと前記リモコンの信号を受けるリモコン受光部とを備え、前記入力端子部のすべての入力端子のグラフィック画像が表示されているとき、前記操作キーと前記リモコンに設けられた十字キーを操作する事で、入力切り換えを可能とする請求項１記載の画像表示装置。
【請求項４】
前記入力セレクタで選択した入力信号が、前記入力端子部に入力されていない時、前記入力端子部のグラフィック画像を表示させると同時に、どの端子にどのような機器を接続したら良いかを促す表示をさせることで端子接続を容易にすることを特徴とする請求項１記載の画像表示装置。
【発明の詳細な説明】
【技術分野】
【０００１】
本発明は、プロジェクタ等の画像表示装置において、OSD（オンスクリーン・ディスプレイ）表示に関するものである。
【背景技術】
【０００２】
近年、家庭でのホームシアター用や、会議・プレゼンテーション用としてプロジェクタ等の画像表示装置を扱う機会が増えてきている。さらにＡＶ機器や情報機器の多様化・高性能化・多機能化が進み、多くの多様な機器が出現し、また、ＶＴＲやパソコンなど一種類の機器でも複数所有する例も増加してきている。さらに機器のデジタル化により多くの出力信号を備えた機器も増加してきた。そのため、プロジェクタ等の画像表示装置もこのような多様な機器と接続する必要が生じ、そのため装備される入力端子も増加してきている。このような状況の中で、数多くの入力端子との接続やそれら映像入力信号の切り換えは、従来のままでは非常に扱いにくいものとなってきている。
【０００３】
以下に従来の技術について説明する。
【０００４】
例えば、画像表示装置の入力端子にRGB入力端子、VIDEO入力端子、S-VIDEO入力端子の３つの入力端子があった場合、ユーザーは入力切り換えボタンを押すことにより、トグルでRGB→VIDEO→S-VIDEOと入力信号を切り換えることが出来、その際、どの映像信号が画像表示装置の画面上に出力されたかの情報として「RGB」、「VIDEO」、「S-VIDEO」の各映像信号の名称が出力画面に文字表示される。図８は、例えば入力切り換えにてRGBの信号が選択された場合であり、RGBの信号が出力されていることを示す「RGB」という名称が画面上に文字表示される。このような入力切り換えを行ったときに出力画面に表示される名称表示に関して、ユーザーが任意に名称表示を設定できる画像表示装置が特許文献１、特許文献２に記載されている。
【特許文献１】特開平２−２８３１７７号公報
【特許文献２】特開平７−２６４４７５号公報
【発明の開示】
【発明が解決しようとする課題】
【０００５】
しかしながら、前記従来の画像表示装置での出力画像の内容表示は、文字だけの情報になり、ユーザーが所望する画像が選択されているかが分かりにくく、またユーザーが任意に名称設定できる装置にしても、ユーザーがいちいち名称を設定しなければならないという煩わしさもあった。
【０００６】
また入力切り換え操作にしても、ユーザーが入力切り換えボタンを押すことによりトグルで切り替わる方法では、いつ所望の映像に切り替わるのかが分かりにくく、多くの入力端子を備えてある画像表示装置の場合は、一度所望の映像信号を飛び越えてしまうと、さらに所望の映像に切り替わるまで何度も入力切り換えボタンを押さなければならない、というように入力信号の選択に要するキー操作が面倒であった。
【０００７】
そこで本発明は、出力画像の内容表示に入力端子部のグラフィック画像を用い、入力端子への接続を容易に行うことや、入力切り換え時にどの映像入力信号に切り替わったかの状況が容易に判断できるようにし、さらにこのグラフィック表示を用い入力切り換えを行うことで装置の操作性の向上を図ることを目的とする。
【課題を解決するための手段】
【０００８】
前記従来の課題を解決するため、本発明の画像表示装置は、出力画像の内容表示に、従来の名称表示に加え、画像表示装置に設けられた入力端子部と同じ位置構成ですべての入力端子のグラフィック画像を表示させるOSD回路部を設ける。この入力端子部のグラフィック表示により、どの入力端子に接続した信号が現在画像表示装置の画面に出力されているのかを容易に判断できる。
【０００９】
また映像入力信号の入力切り換え時にこの入力端子部のグラフィック表示を用いることで、どの端子に切り換えればよいのかを容易に判断でき、その際、操作キーに備えられた十字キーの操作で入力切り換えを可能にすることで操作性を向上させ、同時に選択された画像がどの入力端子の映像なのか容易に判断できる。
【発明の効果】
【００１０】
以上のように、本発明の画像表示装置では、入力信号の選択にGUI（グラフィカル・ユーザー・インターフェース）を用いることにより、ユーザーに映像入力切り換え時の映像信号の状態を容易に理解させることが出来、操作性の向上を図ることが出来る。
【発明を実施するための最良の形態】
【００１１】
以下、本発明を実施するための最良の形態について、図面を参照しながら説明する。
【００１２】
（実施の形態１）
図１は、本発明の実施の形態１における画像表示装置の構成を示すブロック図である。
【００１３】
図１において、入力端子部１１は、画像表示装置と様々なAV機器や情報機器とを接続する映像信号入力端子を備えており、例えばRGB入力端子、VIDEO入力端子、S-VIDEO入力端子などが設けられている。これら複数の入力端子からの入力信号の中から所望の入力信号を選択するのが入力セレクタ１２である。
【００１４】
この入力セレクタ１２で入力切り換えが行われるのは、操作部１７からの選択指令が出された時であり、リモコンや画像表示装置に備えられている操作キーの中のある入力切り換えボタンが押されると、操作部１７から選択指令信号が出力される。この選択指令信号を制御回路部１６で受け、入力セレクタ１２に制御信号を送る。その制御信号を受け、入力セレクタ１２で複数の入力信号から１つの信号が出力される。その出力された信号が信号処理部１３で処理され、映像表示部１４で画面に表示される。
【００１５】
図２は、入力切り換えが行われた時、画面上に出力された信号が何であるかを表す文字および、どの入力端子に接続した信号の映像なのかを表すOSD表示である。ここで、図２は、例えば入力切り換えにてRGB1の信号が選択された場合であり、RGB1の信号が出力されていることを示す「RGB1」という文字と共に、入力端子部のグラフィックを表示している。
【００１６】
この入力端子部のグラフィックは、画像表示装置に備わっているすべての入力端子を表示したものであり、それぞれの入力端子の配置も実際の画像表示装置に配置してあるのと同じ配置で表示している。この入力端子部のグラフィックに矢印にて現在選択されている入力端子（図２の例ではRGB1入力端子）を示すことで、どの入力端子に接続した映像信号が、画像表示装置の画面上に出力されているかを判断できる。
【００１７】
つまり入力切り換えが行われた時は、制御回路部１６からOSD回路部１５に制御信号が送られ、図２に示すようなOSD表示の為の映像信号を出力し信号処理部１３で処理され映像表示部１４で画面上に表示される。
【００１８】
以上のように本実施の形態によれば、入力信号を切り換えた際、画面上にどの入力信号の映像が表示されているかを、入力信号の名称の文字表示だけでなく入力端子部のグラフィックを表示させることで、どの位置のどの端子に接続した信号が現在の画面に出力されているかを容易に認識させることが出来るという効果がある。
【００１９】
なお、本実施の形態において、入力端子部のグラフィック表示で、どの入力端子の画像が選択されているのかを示すのに矢印を用いたが、選択されている入力端子をハイライト表示するとか枠で囲むなどしても良い。
【００２０】
（実施の形態２）
図３は、本発明の実施の形態２における画像表示装置の構成を示すブロック図である。図３において、前述の実施の形態１の図１と同一要素については同一符号を付し、同一の動作をするものとする。
【００２１】
図３において、入力セレクタ１２で複数の入力信号の切り換えの行うということは実施の形態１で述べた通りであるが、この入力セレクタ１２から出力された信号は、信号処理部１３の信号判別回路１８に入力され、この信号判別回路１８でどのような信号であるかが判別される。制御回路部１６は、信号判別回路１８からの信号判別の結果を受けて、入力セレクタ１２で選択された入力信号が入力端子部１１に接続されているか否かを判断する。
【００２２】
もし入力端子部１１に接続されていなければ、当然、画像表示装置の画面に画像は表示されない。このときユーザーは入力切り換えにて所望の映像信号に切り換えるか、もしくは現在選択されている映像モードの入力端子に映像信号を接続しなければならない。
【００２３】
そこで、図４に示す様なOSD表示を行うことで、現在どの入力端子の映像モードが選択されているかを容易に判断できる。図４は、例えば入力セレクタ１２にてRGB1の信号が選択され、さらにこの入力端子に映像信号が入力されていない時、RGB1信号の出力モードが選択されていることを示す「RGB1」の文字と共に、入力端子部のグラフィックを表示させている。
【００２４】
この入力端子部のグラフィックは、画像表示装置に備わっているすべての入力端子を表示したものであり、それぞれの入力端子の配置も実際の画像表示装置に配置してあるのと同じ配置で表示している。この入力端子部のグラフィックに矢印にて現在選択されている入力端子（図４の例ではRGB1入力端子）を示すことで、どの端子に接続した映像信号が画像表示装置の画面上に出力さるかを容易に判断できる。
【００２５】
さらに現在選択されている入力端子にはどのような機器を接続したらよいかという画像（図４の例ではパソコンの画像）を同時に表示させることで、現在の映像モードはどの入力端子にどのような機器を接続したら映像が出力するかを容易に理解させることができる。
【００２６】
つまり、制御回路部１６は、入力セレクタ１２で選択された入力信号が入力端子部１１に接続されているか否かを信号判別回路１８により判断し、接続されていない場合は制御回路部１６からOSD回路部１５に制御信号が送られ、図４に示すようなOSD表示の為の映像信号を出力し、信号処理回路１９で処理され映像表示部１４で画面上に表示される。
【００２７】
以上のように本実施の形態によれば、入力切り換えで選択された映像信号の入力端子に信号が接続されていない場合にも、選択されている映像信号の名称表示に加え入力信号端子部のグラフィックを表示させることで、所望する映像信号と現在の入力モードが一致してないことを容易に判断でき、また今の映像モードはどの入力端子にどのような機器を接続したら映像が出力するかを容易に理解させることができるという効果がある。
【００２８】
なお、本実施の形態２において、入力端子部のグラフィック表示で、どの入力端子の画像が選択されているのかを示すのに矢印を用いたが、選択されている入力端子をハイライト表示するとか枠で囲むなどしても良い。
【００２９】
（実施の形態３）
図５は、本発明の実施の形態３における画像表示装置の構成を示すブロック図である。ここで、実施の形態１の図１、実施の形態２の図３と同一要素については、同一符号を付し、同一の動作をするものとする。
【００３０】
図５において操作部１７は、操作キー２０、リモコン２２およびリモコン２２の信号を受信するリモコン受光部２１を備えている。ここで図６はリモコン２２の一例である。このようなリモコン２２および操作キー２０は、右方向キー２３、左方向キー２４、上方向キー２５、下方向キー２６というような十字キーを備えている。
【００３１】
既に実施の形態１、実施の形態２で述べたように、入力切り換えを行った場合や選択した入力モードに映像信号が接続されていないとき、選択されている映像信号の名称の文字表示に加えて、入力端子部のグラフィック表示を行う。このとき操作部１７の操作キー２０やリモコン２２に備えられている十字キー、つまり右方向キー２３、左方向キー２４、上方向キー２５、下方向キー２６を操作する事で、入力切り換えを行うことを可能にする。
【００３２】
例えば、図７（a）のようなOSD表示がされたとする。図７（a）は、映像信号としてRGB1が選択されているときであり、「RGB1」の文字表示とともに、入力端子部１１のグラフィック表示に矢印にてRGB1入力端子を指し示している。そこで次に、リモコン２２にて右方向キー２３が押されると、操作部１７からの信号を受けた制御回路部１６では、「RGB1」の右側に配置してある「RGB2」へ映像信号を切り換えるための制御信号を入力セレクタ１２に送り、その信号を受けた入力セレクタ１２で「RGB1」から「RGB2」へ入力信号の切り換えが行われる。
【００３３】
さらにこのとき、RGB2が選択されていることを示す「RGB2」の文字表示とともに、入力端子部１１のグラフィック表示に矢印にてRGB2入力端子を示した図７（b）のようなOSD表示の為の映像信号をOSD回路部１５にて出力し、信号処理回路１９で処理され映像表示部１４で画面上に表示される。更に図７（b）の状態から右方向キー２３を押すと「RGB2」から「S-VIDEO」への信号切り換えが行われ、逆に左方向キー２４を押すと「RGB2」から「RGB1」へと切り替わる。
【００３４】
以上のように本実施の形態によれば、入力切り換えが入力端子部の画像のOSD表示上で可能となるため、現在選択されている入力モードが容易に判断でき、さらにどのように切り換えたら所望の映像モードへ切り換えられるかを容易に判断できるため、操作性の向上を図ることが出来るという効果がある。
【産業上の利用可能性】
【００３５】
本発明にかかる画像表示装置は、入力信号の選択にGUI（グラフィカル・ユーザー・インターフェース）を用いることにより、ユーザーに映像入力切り換え時の映像信号の状態を容易に理解させることが出来、操作性の向上を図ることが出来るため、画像表示装置等の用途に有用である。
【図面の簡単な説明】
【００３６】
【図１】本発明の実施の形態１における画像表示装置の構成を示すブロック図
【図２】本発明の実施の形態１における画像表示装置の表示の一例図
【図３】本発明の実施の形態２における画像表示装置の構成を示すブロック図
【図４】本発明の実施の形態２における画像表示装置の表示の一例図
【図５】本発明の実施の形態３における画像表示装置の構成を示すブロック図
【図６】図５に示すリモコンの外観図
【図７】本発明の実施の形態３における画像表示装置の表示の一例図
【図８】従来の画像表示装置の表示の一例図
【符号の説明】
【００３７】
１１  入力端子部
１２  入力セレクタ
１３  信号処理部
１４  映像表示部
１５  OSD回路部
１６  制御回路部
１７  操作部
１８  信号判別回路
１９  信号処理回路
２０  操作キー
２１  リモコン受光部
２２  リモコン
２３  右方向キー
２４  左方向キー
２５  上方向キー
２６  下方向キー
【図１】
2007212618.tif 000003
【図２】
2007212618.tif 000004
【図３】
2007212618.tif 000005
【図４】
2007212618.tif 000006
【図５】
2007212618.tif 000007
【図６】
2007212618.tif 000008
【図７】
2007212618.tif 000009
【図８】
2007212618.tif 000010